【事件の表示】
　平成　５年特許願第　６０６４８号「遊技機のパネル照明装置」拒絶査定不服審判事件〔平成　６年　９月２７日出願公開、特開平　６−２６９５４８〕について、次のとおり審決する。
【結　論】
　本件審判の請求は、成り立たない。
【理　由】
１．本願発明
　本願は、平成５年３月１９日の出願であって、その請求項１に係る発明（以下「本願発明」という）は、特許請求の範囲の請求項１に記載されたとおりの次のものであると認める。
「【請求項１】　遊技機の前面に設けたパネルを後方から照明する遊技機のパネル照明装置であって、上記パネル照明装置は、パネルの後側に位置し、パネルを後方から照明する面発光体と、この面発光体をパネル後面に着脱可能に取り付ける面発光体押え具とを備え、前記面発光体は、外部からの光を導入し発光可能な板状の導光体と、この導光体の両側に臨ませた一対の冷陰極管とを備え、導光体には、パネル側には光を拡散するための拡散シートを配置するとともに、反パネル側には導光体からの光をパネル側に反射するための反射シートを設け、前記パネルと面発光体との間には、緩衝材を介在させ、たことを特徴とする遊技機のパネル照明装置。」
　
２．引用文献
　これに対して、原査定の拒絶理由に引用された特開平５−１５６４２号公報（以下「引用文献１」という）には、
　
（記載事項１）：
　「本発明は、パチンコ遊技機やコイン遊技機あるいはスロットマシン等で代表される遊技機に用いられる可変表示装置であって、詳しくは、複数種類の識別情報を可変表示可能な可変表示装置に関する。」（段落番号０００１）
　
（記載事項２）：
　「本発明は、遊技機に用いられ、複数種類の識別情報を可変表示可能な可変表示装置であって、所定の光源と、該光源からの光を可変表示装置前面側に透過可能な第１の状態と光を透過しにくい第２の状態とに変化可能な光透過状態変化部材と、前記複数種類の識別情報のうち所望の識別情報を表示させるための表示用制御信号に基づいて動作し、前記透過状態変化部材のうち表示せんとする識別情報の形状に相当する部分のみを前記第１の状態に変化させる変化手段と、前記透過状態変化部材の第１の状態となった部分を透過してきた光によって前記複数種類の識別情報を表示する表示面と、該表示面における前記複数種類の識別情報を表示する表示領域を少なくとも除く他の余分な領域を、前記光源からの光が前面側に透過しないように遮光する遮光部材と、を含むことを特徴とする。」（段落番号０００７）
　
（記載事項３）：
　「次に、本発明の実施例を図面に基づいて詳細に説明する。なお、本発明においては、遊技機の一例としてパチンコ遊技機を示すが、その他コイン遊技機，スロツトマシン等のように遊技機としてはどんなものであってもよい。」（段落番号０００９）
　
（記載事項４）：
　「図１は、本発明に係る液晶表示装置が用いられる遊技機の一例のパチンコ遊技機の遊技盤面を示す正面図である。」（段落番号００１０）
　
（記載事項５）：
　「遊技盤１の前面には、パチンコ玉が打込まれる遊技領域２が形成されている。この遊技領域２には、複数種類の識別情報が可変表示可能な可変表示装置３と、可変入賞球装置４とが配設されている。」（段落番号００１１）
　
（記載事項６）：
　「図３は、液晶表示装置９０の構造を説明するための分解斜視図である。液晶表示装置９０のＬＣＤフレーム４４には、係止爪４９，５０が形成されるとともに前面側に光拡散フィルム４７が貼着されており、この係止爪４９，５０により液晶表示板（ＬＣＤ）３４が係止保持される。この液晶表示板３４の前面によって形成される表示面３４ａには、識別情報を表示するための表示領域を構成する５つの液晶表示部からなる左図柄表示部３５，中図柄表示部３６，右図柄表示部３７が、ラウンド表示部３８，カウント表示部３９（図５参照）形成されている。この液晶表示板３４の液晶表示部を駆動するためのＬＣＤドライバ基板４１がフィルムケーブル４０により液晶表示板３４に電気的に接続されている。」（段落番号００１７）
　
（記載事項７）：
　「ＬＣＤフレーム４４の左右には、ＣＦＬカバー部５１が突設されており、ＣＦＬ（冷陰極螢光管）４５の両側前面部分がこのＣＦＬカバー部に一部入り込み、ＣＦＬ４５の両側前方部分がこのＣＦＬカバー部５１によりカバーされる。その状態で、ＣＦＬカバー５２の左右両端に設けられた係止爪５３がＣＦＬカバー５１に係止され、ＣＦＬ４５の両側部分がＣＦＬカバー部５１に保持される。この状態でＣＦＬ（冷陰極螢光管）４５が点灯することにより、その光が光拡散フィルム４７により拡散されて液晶表示板３４にその拡散光が照射されて各図柄表示部３５〜３７が明るく見やすくなるように構成されている。」（段落番号００１８）
　
（記載事項８）：
　「また、液晶表示板（ＬＣＤ）の前面の表示面には、識別情報以外の模様が表示されるようにしてもよい。その場合には、模様に相当する遮光部分を切り抜き、識別情報と模様以外の他の余分な領域のみをメタル遮光膜１５３で遮光してもよい。」（段落番号００３３）
　
（記載事項９）：
　「【発明の効果】本発明は、光透過状態変化部材における、表示せんとする識別情報の形状に相当する部分のみを光が前面側に透過可能な状態に変化させることにより、その部分を所定の光源からの光が前面側に透過し、その透過してきた光によって表示面に識別情報が表示されるという新たな表示方式を採用しているために、遊技者に斬新なイメージを与えることができ、しかも、その表示面における複数種類の識別情報を表示する表示領域を少なくとも除く他の余分な領域が遮光膜によって遮光されているため、表示せんとする識別情報がくっきりと明確に表示されることになり、長期間の遊技に伴う遊技者の目の疲れを極力防止できる。」（段落番号００６３）
　
以上の記載からみて、「引用文献１」には次の発明（以下「引用発明１」という）が記載されている。
「引用発明１」：
「遊技盤の前面に形成された遊戯領域に配設された可変表示装置３の液晶表示板３４と、ＬＣＤフレーム４４とを有し、ＬＣＤフレーム４４には、係止爪４９，５０が形成されるとともに前面側に光拡散フィルム４７が貼着されており、この係止爪４９，５０により液晶表示板（ＬＣＤ）３４が係止保持され、ＬＣＤフレーム４４の左右には、ＣＦＬカバー部５１が突設されており、ＣＦＬ（冷陰極螢光管）４５の両側前面部分がこのＣＦＬカバー部に一部入り込み、ＣＦＬ４５の両側前方部分がこのＣＦＬカバー部５１によりカバーされ、その状態で、ＣＦＬカバー５２の左右両端に設けられた係止爪５３がＣＦＬカバー５１に係止され、ＣＦＬ４５の両側部分がＣＦＬカバー部５１に保持され、ＣＦＬ（冷陰極螢光管）４５が点灯することにより、その光が光拡散フィルム４７により拡散されて液晶表示板３４にその拡散光が照射されて各図柄表示部３５〜３７が明るく見やすくなるように構成され、液晶表示板（ＬＣＤ）の前面の表示面には、複数種類の識別情報や模様を光を前面側に透過させることによって表示する識別情報と識別情報以外の模様とが表示され、模様に相当する遮光部分を切り抜き、識別情報と模様以外の他の余分な領域のみをメタル遮光膜１５３で遮光している、遊技機の液晶表示板の、照明装置」
　
また、スロットマシンの前面に設けたパネルを後方から照射する遊技機のパネルの周知例として、以下の文献にそれぞれ以下の記載がある。
＜周知例１＞：実願昭５７−１４４８４１号（実開昭５９−４８６７７号）のマイクロフィルム
（記載事項１０）：「各種ゲーム機にはその前面に、ゲーム進行、得点、あるいは得点の配当を表示する表示プレートが設けられている。このような表示プレートの多くはプレート状のガラスに絵柄、着色を施してあるもので、例えば第１図に示すスロットマシンでは、その前面上部にスロットマシンリール１のマークの組み合わせによる得点の配当を表示した表示ガラス２がはめ込まれている。この表示ガラス２は、リール１のマーク変更に対応して、あるいはこの表示ガラス２を内部から照明する照明ランプの点検などのために着脱できるようになっているのが普通である。」（第１頁第１７行−第２頁第８行）
　
＜周知例２＞：実願昭６０−４４８５０号（実開昭６１―１６３６８５号）のマイクロフィルム
（記載事項１１）：「このフロントドアの前面には、リールの観察窓や入賞ライン、さらにはコイン投入口などの他、スロットマシンの種類や型式をデザイン文字などで表示した、例えばガラス製のタイトルパネルが取り付けられている。一般に、このタイトルパネルは、フロントドアに形成された照明用の開口部を覆うようにして取り付けられている。」（第２頁第９−１６行）
　
（記載事項１２）：「この開口８は、第２図にも示したように、フロントドア２の背面に、上辺がねじ止めされた取り付け板１０でカバーされている。取り付け板１０には、蛍光灯などの照明光源１１が固定されており、その照明光は取り付け板１０に形成された開口１２およびフロントドア２の開口８を通り、フロントドア２の前面に取り付けられるタイトルガラス１５を背面側から照明する。」（第６頁第８−１５行）
　
＜周知例３＞：実願昭６２−８５１２０号（実開昭６３−１９３０９２号）のマイクロフィルム
（記載事項１３）：「ボックス１１の前面には各回転ドラム１ａ〜１ｃを…　…ゲーム内容に関連する案内情報がランプの点灯により表示される上下の案内表示部５などが設けられ…　…各案内表示部５は、内部には点滅電球或いは蛍光灯等の照明具８が配備して構成されている。」（第４頁第１６行−第５頁第８行）
　
さらにまた、バックライト用面光源の周知例として以下の文献にそれぞれ以下の記載がある。
＜周知例４＞：実願昭６０−１２０７７７号（実開昭６２−２８３０６号）のマイクロフィルム
（記載事項１４）：「本考案は一搬照明、広告掲示面等の各種照明として利用できる面光源に関する」（第１頁第１４、１５行）
　
（記載事項１５）：「符号１は矩形枠体から成る機筐２の前面に固設した、アクリル樹脂等か透明材料から成る導光板であり、該導光板１の背面３はその板厚が一辺に向つて徐々に厚くなるように傾斜すると共に、全面に亘って微細なヘヤーライン加工４を施こして成る。また上記導光板１の背面３側には該背面３と離間対向して表面に蛍光塗料層５を塗着した光反射板６が枢設せしめられるもので、該光反射板６は導光板１の薄辺側方向の端辺をヒンジ機構７を介して揺動自在に枢着すると共に、他辺の一部を機筐２側枠に軸設した光量調整摘み８のネジ軸９と螺合した光量調整機構１０に依り、導光開口端１１の面積を可変に構成する。上記導光板１の厚辺側と導光開口端１１部には全幅に亘って蛍光灯管１２を担持固設して成り、蛍光灯点灯回路（図示せず）を介して点灯する構造に成る。　上記構成の面光源は、蛍光灯管１２を点灯することにより導光板１の前面から適光量の散光照度得るものである。即ち、蛍光灯管１２からの光束は、導光板１の端面から板厚内に略平行に導入されるが、該導光板１の背面３が徐々に前面１３に近接するように挟少構成され、而かもヘヤーライン加工４が施こされている為、該ヘヤーライン加工４の微少凹凸に光が当ると散光し、前面１３から放光される。」（第４頁第１行−第５頁第５行）
　
（記載事項１６）：「前面に透光性のディスプレイを張設して使用するような場合、光量を好ましく調整することができる」（第６頁第１−３行）
　
＜周知例５＞：特開平４−１１０９９０号公報
（記載事項１７）：「本発明は、例えば液晶バックライト、ディスプレイスタンド、照明サイン、表示板、照明体等の各種面光源装置に用いられるエッジライト面光源パネルに関し、特にその乱反射パターンに関する。」（第１頁左下欄第１９行−右下欄第３行）
　
（記載事項１８）：「以下、ラップトップ型コンピュータ、ワードプロセッサ等の液晶表示面を照明する液晶バックライトとして、これらに内蔵設置される面光源装置に本発明を適用した例により更に説明すれば、１は液晶表示面背面側の光透過性にして不透明の乳白色ポリエステルフィルム製の光拡散シート、２は長方形の透明基板３の背面側に乱反射パターン４を具備した面光源パネル、６は更に面光源パネル２の背面側に配置した白色ポリエステルフィルム製の光反射シートであり、また７、７は面光源パネル２の長辺側一対の端面にそれぞれ臨ませて近接配置した一対の冷陰極管よりなる光源を示す。」（第３頁左上欄第７−１９行）
　
＜周知例６＞：特開平４−１９４９０３号公報
（記載事項１９）：「本発明は、ディスプレイとして薄形の電飾照明、および薄形軽量のラップトップパソコン、ワープロ、液晶ＴＶのバックライトなどに利用できる面発光装置に関し、より詳しくは、いわゆるエッジライト型の面発光装置に関する。」（第１頁右下欄第９−１３行）
　
（記載事項２０）：「第３〜５図はこの発明の面発光装置の一実施例を示す平面図である。１は光源、２は透明導光板、３は光拡散層、４は白色散乱反射板、５は拡散透過部、６は湾曲反射板をそれぞれ示す。」（第２頁左下欄第１−５行）
　
（記載事項２１）：「光源１としては、蛍光灯や冷陰極管などの線光源を配置するか、」（第２頁右下欄第６、７行）
　
＜周知例７＞：特開平４−２２９８２９号公報
（記載事項２２）：「【０００１】【産業上の利用分野】本発明は、例えば液晶バックライト、ディスプレイスタンド、照明サイン、表示板、面照明体等各種照明装置に用いられるエッジライトパネルに関し、特にその網点乱反射パターンに関する。【０００２】【従来の技術】背面側に多数の蛍光灯光源を縦列又は横列状に並設した、いわゆる直下型の照明装置に代えて、面光源パネルの一端又は対向端に蛍光灯、冷陰極管等の一次光源を近接して配置し、一次光源の入射光を、透明基盤にスクリーン印刷により形成した乱反射パターンにより乱反射導光せしめて該基板全体を照明するエッジライトパネルが知られ、上記液晶バックライト等の各種照明装置として利用することが知られている。」（第２頁第１欄第１８−３０行）
　
（記載事項２３）：「更に本発明を説明すれば、１は液晶表示面の背面側に位置するように設けられた、光透過性にして不透明乳白色ポリエステルフィルムによる光拡散シート、２は、長方形の透明基板３の背面側に網点乱反射パターンを形成したエッジライトパネル、９は更にこのエッジライトパネル２の背面側に配置した白色ポリエステルフィルムによる光反射シートであり、また１０は、エッジライトパネル２の短辺側一側に端面に臨ませて近接配置した一次光源を示す。」（第３頁第３欄第３８−４６行）
　
（記載事項２４）：「図１０に示したのは、上記各例に代えて、一次光源１０をエッジライトパネル２の一対の長辺側端面に対向設置して２灯式とした照明装置の例を示し、このとき、網点乱反射パターン４は、一対の一次光源１０の中央に網点面積比の最大位置５が配置され、前記変化パターン８が各一次光源１０側に設けられるものとしたが、」（第４頁第６欄第４６行−第５頁第７欄第１行）
　
３．対比
　「本願発明」と「引用発明１」とを比較すると、
後者の「液晶表示板３４」が、「液晶表示板（ＬＣＤ）の前面の表示面には、識別情報以外の模様が表示されるようにしてもよい」（上記記載事項８）、「所定の光源からの光が前面側に透過し、その透過してきた光によって表示面に識別情報が表示されるという新たな表示方式を採用しているために、遊技者に斬新なイメージを与えることができ、しかも、その表示面における複数種類の識別情報を表示する表示領域を少なくとも除く他の余分な領域が遮光膜によって遮光されているため、表示せんとする識別情報がくっきりと明確に表示される」というものなのであるから、後者の「ＬＣＤフレーム４４」、「ＣＦＬ（冷陰極螢光管）４５」、「ＣＦＬカバー部５１」、「ＣＦＬカバー５２」、「光拡散フィルム」は、液晶表示板３４及びメタル遮光幕を後方から照明して光を透過させてＬＣＤの表示や模様の表示をおこなうための「光源部」であり、液晶表示板は透過光によって表示をなす板である。
　これに対して、前者における「パネルを後方から照明する面発光体」も、「従来、スロットマシン等の遊技機前面に設けたパネルを照明するには、パネル後方に複数の蛍光灯を並設し、この蛍光灯を発光させることによりパネルを照明していた。」（段落番号０００２）、「しかし、パネルの後方の遊技機内には、遊技機を作動するための他の機器や、メダル等の遊技媒体の通路を設ける必要があり、実際にはパネルと蛍光灯との間に十分な距離をとることが困難であるという問題点があった。また、仮にパネルと蛍光灯との間に十分な距離がとれたと仮定しても、両者の距離が離れてしまうので、パネルを照明するための十分な明るさがとれなくなっていしまうという問題点があった。」（段落番号０００４）、「本発明は、上記した問題点に鑑み提案され、その目的とするところは、遊技機前面に設けたパネル全面を均一かつ十分な明るさで照明することができ、しかも、パネル後方のスペースを有効に利用して設置できるパネル照明装置を提供することにある。」（段落番号０００５）及び「【００１１】一方、前記上部パネル３０表面には、図１に示すように、遊技方法の説明等が記されている。また、下部パネル６０表面には、装飾が施されている。この上部パネル３０及び下部パネル６０は、透光性を有する部材から構成され、パネル２０後側のスロットマシン内部から照明されている。つぎに、図２，３を用いて、上記した上部パネル３０の構成を更に詳しく説明する。【００１２】上部パネル３０は、透光性を有する部材、例えばアクリル板等からなり、パネル面にスロットマシンの遊技方法の説明等が記載されている。」（段落番号００１１、００１２）の記載からみて、「パネル」の表示を明るく見やすくなるようにするための光源部であり、「パネル」は、透過光により明るく見やすく見ることのできる表示がなされたものである。
　よって、後者の「ＬＣＤフレーム４４」、「ＣＦＬ（冷陰極螢光管）４５」、「ＣＦＬカバー部５１」及び「ＣＦＬカバー５２」の全体は、「液晶表示板３４」が「明るく見やすくなるように」構成される光源部であり、前者の光源部である「パネルを後方から照明する」「面発光体」に相当する。
　また、「板」は形状の点からは「パネル」と言えるものであり、上記の様に「本願発明」の「パネル」も「光源」により「明るくみやすく」される表示を有する板であると言えるから、後者の「液晶表示板３４」は前者の「パネル」に、「光拡散フィルム４７」は「光を拡散するための拡散シート」にそれぞれ相当する。
　
　よって、両者は、
「遊技機に設けたパネルを後方から照射する遊技機のパネル照明装置であって、パネル照明装置は、パネルの後方に位置し、光を拡散するための拡散シートを備えた光源によりパネルを後方から照明するもの」
　
　である点において一致し、
　
相違点１：
「パネル」に関して、
　「本願発明」は、
「遊技機の前面に設けた」パネルであって、「後方から照明」されること以外に格別の機能の限定は付されていないものであるのに対し、
　「引用発明１」は、
「遊技盤の前面に形成された遊戯領域に配設された可変表示装置３の、複数種類の識別情報や模様を光を前面側に透過させることによって表示する液晶表示板３４と、液晶表示板（ＬＣＤ）の前面の表示面には、識別情報以外の模様が表示され、模様に相当する遮光部分を切り抜き、識別情報と模様以外の他の余分な領域のみをメタル遮光膜１５３で遮光している」パネルである点、
　
相違点２： 
　「光源」の構成に関し、
　「本願発明」は、
　「外部からの光を導入し発光可能な板状の導光体と、この導光体の両側に臨ませた一対の冷陰極管とを備え、導光体には、パネル側には光を拡散するための拡散シートを配置するとともに、反パネル側には導光体からの光をパネル側に反射するための反射シートを設け」た「面発光体」であるのに対して、
　「引用発明１」は、
「液晶表示板を保持するＬＣＤフレーム４４と、ＬＣＤフレームの前面側に光拡散フィルム４７が貼着されており、ＬＣＤフレーム４４の左右には、ＣＦＬカバー部５１が突設されており、ＣＦＬ（冷陰極螢光管）４５の両側前面部分がこのＣＦＬカバー部に一部入り込み、ＣＦＬ４５の両側前方部分がこのＣＦＬカバー部５１によりカバーされる。その状態で、ＣＦＬカバー５２の左右両端に設けられた係止爪５３がＣＦＬカバー５１に係止され、ＣＦＬ４５の両側部分がＣＦＬカバー部５１に保持され」るという構造のものであり「ＣＦＬ（冷陰極螢光管）４５が点灯することにより、その光が光拡散フィルム４７により拡散されて液晶表示板３４にその拡散光が照射されて各図柄表示部３５〜３７が明るく見やすくなるように構成」された「光源」であって、「面発光体」ではない点、
　
相違点３：
　「光源」の取り付けに関し、
　「本願発明」は、「面発光体をパネル後面に着脱可能に取り付ける面発光体押え具とを備え」ているのに対し、
　「引用発明１」は、「係止爪」でパネル後面に取り付けており、着脱可能であるかどうかは格別規定していない点、
　
相違点４：
　「本願発明」においては、「パネル」と「光源」との間に緩衝材を介在させているのに対し、「引用発明１」においては格別設けられていない点、
　
の各点において相違する。
　
４．当審の判断。
（相違点１）について：
　「本願発明」において、「パネル」を後方から照明する面発光体を設けた効果は、「遊技機前面に設けたパネル（２０）全面を均一に照明することができるとともに、パネル（２０）後方のスペースを有効に利用することができる。」（段落番号０００７）というものであり、「上部パネル３０表面には、図１に示すように、遊技方法の説明等が記されている。また、下部パネル６０表面には、装飾が施されている。この上部パネル３０及び下部パネル６０は、透光性を有する部材から構成され、パネル２０後側のスロットマシン内部から照明されている。」（段落番号００１１）のであるから、「本願発明」における「パネル」は遊戯者が見ることを予定したパネルである。
　そして、「引用発明１」における液晶板も「光拡散フィルム４７」により拡散されて表示部が明るく見やすくなる（上記記載事項７）というものであるから、どちらも均一な照明により、より良く見えるようにするべきものであり、よりよく見せるために後方に設けた光源によって照射するという点において異なるところはない。
　また、「本願発明」の実施例である、スロットマシンの回胴を設けた面の上下に在る面のパネルをパネルの裏側に光源を設けて照明すること、パネルには配当の表示、スロットマシンの種類の表示、ゲームに関連する案内情報の表示がなされていること、は、上記周知例１ないし３に見られるように、周知事項である。
　「本願発明」は、「パネル」に関して「遊技機の前面に設けた」なる限定を付しているのみであり、「本願発明」の実施例にみられる、情報が表示された「パネル」を後方に設けた光源で照射することは上記周知例１〜３にみられるように周知であるのだから、視認性向上のために、遊戯者が前から見ることのできるパネルである「引用発明１」における可変表示装置において行われている視認性向上手法を、「本願発明」の実施例にみられるような従来在った「パネル」に適用するのに、格別困難は無い。
　よって、「遊技機の前面に設けたパネルを後方から照明する」遊技機のパネル、という「本願発明」の技術事項は、「引用発明１」における液晶表示板の光源による照明や上記周知例１ないし３にみられる周知事項であるパネルの照明から容易に想到しうる構成にすぎない。
　
（相違点２）について：
　「外部からの光を導入し発光可能な板状の導光体と、この導光体の両側に臨ませた一対の冷陰極管とを備え、導光体には、パネル側には光を拡散するための拡散シートを配置するとともに、反パネル側には導光体からの光をパネル側に反射するための反射シートを設け」た構成の「面発光体」は、上記周知例４ないし７に示されるように、液晶表示等のバックライトとして周知の構成である。
　そして、後方に設けた照明用光源によって照明して、前面から見てよりよく見えるようにするための光源として、均一でない光源よりも均一な光源の方が望ましく、また、スペースが有効に使用できる方が望ましいことは技術常識であり、液晶表示板であっても単なる「遊技機の前面に設けたパネル」であっても、この技術常識が適用できることも当業者には自明であるから、液晶表示等の面発光体バックライトを「遊技機の前面に設けたパネル」の照明用に用いる点に困難はない。
　よって、ＣＦＬ（冷陰極蛍光管）とその保持フレームと光拡散フィルムとからなる光源を液晶表示装置の光源として周知の面発光体に置き換えたに過ぎない相違点２は、当業者が容易になしうる程度の事項である。
　
（相違点３）について：
　一般に、照明光源を取り付けるに際し、「着脱可能に」「押さえ具」を用いて取り付けるという程度の事項は、当業者が適宜なしうる程度の設計的事項にすぎない。
　
（相違点４）について：
　一般に、部品を取り付ける際に、緩衝材を介在させた取り付けとすることは、当業者が必要に応じて為しうる程度の設計的事項であり、格別のものではない。
　
また、これら相違点によって奏される効果も格別のものではない。
　
以上のとおりであるから、本願請求項１にかかる発明は、引用文献１及び周知技術に基づいて当業者が容易に想到することができたものであると判断される。
　
５．むすび
　以上のとおりであるから、本願発明は引用発明及び周知技術に基づいて当業者が容易に発明をすることができたものであるから、特許法第２９条第２項の規定により、特許を受けることができない。
　よって、結論のとおり審決する。